(57)【特許請求の範囲】
【請求項１】
圧縮機がエンジンにより駆動される室外機に設置された排気トップであって、排気を導入可能なメイン筒体と、このメイン筒体の内面上方に固着され、排気を排出可能なサブ筒体を備え、排気の凝縮水を排気ドレン水として貯溜可能なサブフランジ部と、上記メイン筒体の外面上方に固着され、排気の凝縮水を排気ドレン水として貯溜可能なメインブフランジ部とを有し、このメインブフランジ部及び上記サブフランジ部の排気ドレン水が、上記メイン筒体内に導かれる室外機の排気トップにおいて、上記サブフランジ部は、上記メイン筒体に形成された、上記メインフランジ部内の排気ドレン水を導くメイン排水孔の下縁以下に位置付けられ、且つこのサブフランジ部には、このサブフランジ部内の排気ドレン水をメイン筒体内へ導くサブ排水孔の周囲に、上記メイン筒体内へ延在する排水パイプが設置されたことを特徴とする室外機の排気トップ。
【請求項２】
上記排水パイプが、メイン筒体の底面近傍まで延在されたことを特徴とする請求項１に記載の室外機の排気トップ。
【請求項３】
上記エンジンが、ガスエンジンであることを特徴とする請求項１に記載の室外機の排気トップ。
【発明の詳細な説明】
【０００１】
【発明の属する技術分野】
本発明は室外機の排気トップに係り、特にガスヒートポンプ式空気調和装置の室外機に設置された室外機の排気トップに関する。
【０００２】
【従来の技術】
ガスヒートポンプ式空気調和装置の室外機には、その機械室に、圧縮機を駆動するガスエンジンが配置され、熱交換器室の天面パネルに排気トップが設置されている。
【０００３】
上記排気トップ１は図４及び図５に示すように、排気を導入可能な外筒２と、この外筒２の内面上方に固着されて排気を排出可能な内筒３と、排気の凝縮水を排気ドレン水として貯溜可能な内部ドレン水受皿４と、外筒２の外面上方に固着されて排気ドレン水を貯溜可能な外部ドレン水受皿５と、を有して構成される。
【０００４】
排気トップ１の外筒２内に導かれたガスエンジンからの排気は、図２の破線矢印に示すように、内筒３の排気孔６から室外機外へ排出される。又、内部ドレン水受皿４に貯留された排気ドレン水は、図２の実線矢印に示すように、この内部ドレン水受皿４に開口された内部排水孔７から外筒２内へ導かれる。又、外部ドレン水受皿５に貯溜された排気ドレン水は、図２の実線矢印に示すように、外筒２に開口された外部排水孔８から外筒２内へ導かれる。
【０００５】
【発明が解決しようとする課題】
しかしながら、外部ドレン水受皿５内の排気ドレン水は、外部排水孔８を経て外筒２内の排気圧力の影響を受けるので、この排気圧力によって室外機外へ飛散される場合がある。
【０００６】
同様に、内部ドレン水受皿４内の排気ドレン水は、内部排水孔７を経て外筒２内の排気圧力の影響を受けるので、この排気圧力によって室外機外へ飛散される場合がある。
【０００７】
排気ドレン水は、排気成分が含まれて弱酸性となっているので、室外機外へ飛散されると、万一の場合には、他の機器や環境に対し悪影響を及ぼす恐れがある。
【０００８】
本発明は、上述の事情を考慮してなされたものであり、排気ドレン水の機外への飛散を確実に防止できる室外機の排気トップを提供することにある。
【０００９】
【課題を解決するための手段】
請求項１に記載の発明は、圧縮機がエンジンにより駆動される室外機に設置された排気トップであって、排気を導入可能なメイン筒体と、このメイン筒体の内面上方に固着され、排気を排出可能なサブ筒体を備え、排気の凝縮水を排気ドレン水として貯溜可能なサブフランジ部と、上記メイン筒体の外面上方に固着され、排気の凝縮水を排気ドレン水として貯溜可能なメインブフランジ部とを有し、このメインブフランジ部及び上記サブフランジ部の排気ドレン水が、上記メイン筒体内に導かれる室外機の排気トップにおいて、上記サブフランジ部は、上記メイン筒体に形成された、上記メインフランジ部内の排気ドレン水を導くメイン排水孔の下縁以下に位置付けられ、且つこのサブフランジ部には、このサブフランジ部内の排気ドレン水をメイン筒体内へ導くサブ排水孔の周囲に、上記メイン筒体内へ延在する排水パイプが設置されたことを特徴とするものである。
【００１０】
請求項２に記載の発明は、請求項１記載の発明において、上記排水パイプが、メイン筒体の底面近傍まで延在されたことを特徴とするものである。
【００１１】
請求項３に記載の発明は、請求項１に記載の発明において、上記エンジンが、ガスエンジンであることを特徴とする請求項１乃至２のいずれかに記載の室外機の排気トップ。
【００１３】
請求項１または３に記載の発明には、次の作用がある。
【００１４】
サブフランジ部が、メイン筒体に形成された、メインフランジ部内の排気ドレン水を導くメイン排水孔の下縁以下の位置に配設されたことから、メインフランジ部に貯溜された排気ドレン水は、メイン排水孔を経てサブフランジ部内に流入した後メイン筒体内に導かれ、メイン筒体内の排気圧力の影響を受けない。このため、メインフランジ部内の排気ドレン水が、メイン筒体内の排気圧力により外方へ飛散することを防止できる。
【００１６】
サブフランジ部のサブ排水孔の周囲に、メイン筒体内へ延在する排水パイプが設置されたことから、サブフランジ部内から排水パイプ内へ導かれた排気ドレン水の重量がメイン筒体内の排気圧力に優って、当該メイン筒体内へ導かれるので、サブフランジ部内の排気ドレン水が、メイン筒体内の排気圧力により外方へ飛散することを防止できる。
【００１８】
排水パイプがメイン筒体の底面近傍まで延在されたことから、エンジン回転数が上昇してメイン筒体内の排気圧力が高くなった場合にも、サブフランジ部内の排気ドレン水を排水パイプを経てメイン筒体内に良好に導くことができる。
【００１９】
【発明の実施の形態】
以下、本発明の実施の形態を図面に基づき説明する。
【００２０】
図１は、本発明に係る室外機の排気トップにおける一実施の形態が適用されたガスヒートポンプ式空気調和装置の室外機を、一部を破断して示す斜視図である。
【００２１】
ガスヒートポンプ式空気調和装置における熱交換器ユニットとしての室外機２０は、図示しない圧縮機やガスエンジン等を内蔵した機械室２１が下方に、熱交換器２２及び送風機２３等を内蔵した熱交換室２４が上方にそれぞれ配置され、機械室２１と熱交換器室２４とがドレンパン２５により仕切られて構成される。また、機械室２１の下端部にベース部材２６が設置されて、このベース部材２６により機械室２１が支持される。
【００２２】
上記熱交換器室２４においては、熱交換器２２が対向する側面に配置され、この熱交換器２２に直交する位置に外装パネル２７が配置される。また、機械室２１を構成する外装パネル２８及び２９は、外装パネル２８が外装パネル２７の下方に、外装パネル２９が熱交換器２２の下方にそれぞれ位置付けられて設けられる。
【００２３】
機械室２１内の圧縮機は、ガスエンジンにより駆動される。このガスエンジンからの排気は消音装置（不図示）等を経て、排気配管３０により排気トップ３１に導かれ、この排気トップ３１から室外機２０の外方へ排出される。
【００２４】
この排気トップ３１は、室外機２０における熱交換器室２４の天面３２に設置される。また、この排気トップ３１は、図２及び図３に示すように、メイン筒体としての外筒３３と、メインフランジ部としての外部ドレン水受皿３４と、サブフランジ部としての内部ドレン水受皿３５と、サブ筒体としての内筒３６と、排水パイプとしての誘導パイプ３７とを有して構成される。
【００２５】
外筒３３は、底面３８を有する有底筒体であり、この底面３８に、排気配管３０に接続可能な導入パイプ３９が貫通されている。この導入パイプ３９の端部に形成された導入孔４０から、矢印Ａに示すように、ガスエンジンの排気が外筒３３内に導入される。また、底面３８には排水パイプ４１が設置され、この排水パイプ４１にドレン水配管４２（図１）が接続される。
【００２６】
上記内部ドレン水受皿３５は、外筒３３の内面４３における上方に固着され、内側に内筒３６を固着する。この内筒３６は有蓋筒体であり、この内筒３６に排気孔４４が形成される。この排気孔４４から、外筒３３内に導入された排気が、図２及び図３の矢印Ｂに示すように室外機２０外へ排出される。また、内部ドレン水受皿３５は、内筒３６の排気孔４４から排出された排気の凝縮水、またはこの凝縮水と雨水との混合水が排気ドレン水として貯溜可能とされる。
【００２７】
上記外部ドレン水受皿３４は、外筒３３の外面における上方に固着され、外筒３３の上端部を越えた排気の凝縮水、またはこの凝縮水と雨水との混合水が前述と同様に貯溜可能とされる。
【００２８】
外部ドレン水受皿３４内に貯溜された排気ドレン水は、矢印Ｃに示すように、外筒３３に開口されたメイン排水孔としての外部排水孔４６を経て内部ドレン水受皿３５内へ導かれる。この内部ドレン水受皿３５は、外部排水孔４６の下縁４６Ａ以下、つまり下縁４６Ａと同一又はこの下縁４６Ａよりも距離Ｍ下方に位置付けられる。これにより、外筒３３内の排気圧力は内部ドレン水受皿３５に遮蔽されて、外部ドレン水受皿３４内の排気ドレン水に影響を与えることが防止される。
【００２９】
また、内部ドレン水受皿３５にはサブ排水孔としての内部排水孔４７が開口され、内部ドレン水受皿３５の下面で上記内部排水孔４７の周囲に前記誘導パイプ３７が固着される。この誘導パイプ３７は外筒３３の内部へ延在され、その下端部３７Ａが外筒３３の底面３８近傍に位置する。
【００３０】
内部ドレン水受皿３５内の排気ドレン水は、矢印Ｄに示すように、内部排水孔４７及び誘導パイプ３７内を経て外筒３３内部へ導かれる。この外筒３３内に導かれた排気ドレン水は、矢印Ｅに示すように、排水パイプ４１及びドレン水配管４２を介して機械室２１内の中和装置（不図示）へ送られ、この中和装置により中和されて排水される。
【００３１】
上記誘導パイプ３７の延在長さ、つまり誘導パイプ３７の下端部３７Ａと外筒３３の底面３８との距離Ｌは、内部ドレン水受皿３５から誘導パイプ３７内へ導かれた排気ドレン水の重量が外筒３３内の排気圧力に優って、外筒３３内を流下するよう設定される。例えば、ガスエンジンが２５００ＣＣで、このガスエンジンの回転数が２２００ｒｐｍの時に生ずる外筒３３内の排気圧力に対しては、上記距離Ｌは約１０ｍｍに設定される。外筒３３内の排気圧力が上述の場合（２５００ＣＣのガスエンジンが、２２００ｒｐｍで回転数しているときの外筒３３内の排気圧力）よりも大きいときには、距離Ｌを約１０ｍｍ以下に設定する。また、外筒３３内の排気圧力が上述の場合（２５００ＣＣのガスエンジンが、２２００ｒｐｍで回転数しているときの外筒３３内の排気圧力）よりも小さいときには、距離Ｌを約１０ｍｍ以上に設定しても良い。
【００３２】
従って、上記実施の形態によれば、次の効果▲１▼乃至▲３▼を奏する。
【００３３】
▲１▼内部ドレン水受皿３５が、外筒３３に形成された、外部ドレン水受皿３４内の排気ドレン水を導く外部排水孔４６の下縁４６Ａ以下の位置に配設されたことから、外部ドレン水受皿３４に貯溜された排気ドレン水は、外部排水孔４６を経て内部ドレン水受皿３５内に流入した後外筒３３内に導かれ、内部ドレン水受皿３５に遮蔽されて外筒３３内の排気圧力の影響を受けない。このため、外部ドレン水受皿３４内の排気ドレン水が、外筒３３内の排気圧力により外方へ飛散することを防止できる。この結果、弱酸性の排気ドレン水が室外機２０外へ飛散することによる機器又は環境への悪影響を未然に防止できる。
【００３４】
▲２▼内部ドレン水受皿３５には内部排水孔４７の周囲に、外筒３３内へ延在する誘導パイプ３７が設置されたことから、内部ドレン水受皿３５内から誘導パイプ３７内へ導かれた排気ドレン水の重量が、外筒３３内の排気圧力に優って当該外筒３３内へ導かれるので、内部ドレン水受皿３５内の排気ドレン水が、外筒３３内の排気圧力により外方へ飛散することを防止できる。この結果、この場合も、弱酸性の排気ドレン水が室外機２０外へ飛散することによる機器又は環境への悪影響を未然に防止することができる。
【００３５】
▲３▼誘導パイプ３７が外筒３３の底面３８近傍まで延在されたことから、ガスエンジンの回転数が上昇して外筒３３内の排気圧力が高くなった場合にも、内部ドレン水受皿３５内の排気ドレン水を、誘導パイプ３７を経て外筒３３内へ良好に導くことができる。
【００３６】
以上、本発明を上記実施の形態に基づいて説明したが、本発明はこれに限定されるものではない。例えば、本実施の形態では上記エンジンがガスエンジンの場合を述べたが、ガソリンエンジンの場合にも本発明を適用できる。
【００３７】
【発明の効果】
以上のように、本発明に係る室外機の排気トップによれば、サブフランジ部が、メイン筒体に形成された、メインフランジ部内の排気ドレン水を導くメイン排水孔の下縁以下に位置付けられたことから、排気ドレン水の機外への飛散を確実に防止できる。
【図面の簡単な説明】
【図１】本発明に係る室外機の排気トップにおける一実施の形態が適用されたガスヒートポンプ式空気調和装置の室外機を、一部を破断して示す斜視図である。
【図２】図１の排気トップを示す斜視図である。
【図３】図２の排気トップの縦断面図である。
【図４】従来の室外機の排気トップを示す斜視図である。
【図５】図４の排気トップを示す縦断面図である。
【符号の説明】
２０  室外機
３１  排気トップ
３３  外筒（メイン筒体）
３４  外部ドレン水受皿（メインフランジ部）
３５  内部ドレン水受皿（サブフランジ部）
３６  内筒（サブ筒体）
３７  誘導パイプ（排水パイプ）
３７Ａ  誘導パイプの下端部
３８  外筒の底面
４３  外筒の内面
４４  内筒の排気孔
４５  外筒の外面
４６  外部排水孔（メイン排水孔）
４６Ａ  外部排水孔の下縁
４７  内部排水孔（サブ排水孔）
Ｌ  距離
【図１】
0003906004.tif 000002
【図２】
0003906004.tif 000003
【図３】
0003906004.tif 000004
【図４】
0003906004.tif 000005
【図５】
0003906004.tif 000006